(57)【要約】【課題】  原稿用紙と印刷用紙の両方から取得したＲＦＩＤタグ情報を用いて用紙種類等に応じた印刷設定を自動的に行なったり、手動印刷モード設定と自動印刷モード設定の切り替えを自動的に行なったりできる画像情報装置を提供する。【解決手段】  原稿用紙から画像を読み取る画像読み取り手段と、その画像を印刷用紙に印刷する印刷手段を備えたデジタル複写機において、原稿用紙と印刷用紙に付したＲＦＩＤタグ情報を読み取るＲＦＩＤタグ読み取り部４０、８０を備え、イメージセンサ１００により読み取られた画像を印刷する際、ＣＰＵ１０５が、ＲＦＩＤタグ読み取り部４０、８０により読み取られた２つのＲＦＩＤタグ情報から印刷モードを自動的に設定すると共に、ＲＦＩＤタグ情報が取得されたとき、自動的に手動印刷モード設定状態から自動印刷モード設定状態に移行させる構成にした。【選択図】        図２
2005316189.tif 000002
【特許請求の範囲】
【請求項１】
原稿用紙上の画像を読み取る画像読み取り手段と、ＲＦＩＤタグ情報を読み取るＲＦＩＤタグ読み取り手段と、前記画像読み取り手段により読み取られた画像を、前記ＲＦＩＤタグ読み取り手段により読み取られたＲＦＩＤタグ情報に基づいて自動的に設定した印刷モードにより印刷用紙上に印刷する印刷手段とを備えた画像情報装置において、前記ＲＦＩＤタグ情報を原稿用紙と印刷用紙の両方に付け、その両方のＲＦＩＤタグ情報を読み取るように前記ＲＦＩＤタグ読み取り手段を構成するとともに、前記ＲＦＩＤタグ読み取り手段により読み取られた両方のＲＦＩＤタグ情報に基づいて印刷モードを設定する自動印刷モード設定手段を備えたことを特徴とする画像情報装置。
【請求項２】
原稿用紙上の画像を読み取る画像読み取り手段と、原稿用紙または印刷用紙に付したＲＦＩＤタグ情報を読み取るＲＦＩＤタグ読み取り手段と、前記画像読み取り手段により読み取られた画像を、前記ＲＦＩＤタグ情報に基づいて設定された印刷モードにより印刷用紙上に印刷する印刷手段とを備えた画像情報装置において、操作手段を用いて前記印刷モードを手動で設定させる手動印刷モード設定手段と、前記ＲＦＩＤタグ読み取り手段により読み取られたＲＦＩＤタグ情報から当該画像情報装置の印刷モードを自動的に設定する自動印刷モード設定手段とを備え、前記ＲＦＩＤタグ読み取り手段によりＲＦＩＤタグ情報が取得されたとき、自動的に、手動印刷モード設定状態から自動印刷モード設定状態に移行させる構成にしたことを特徴とする画像情報装置。
【請求項３】
請求項２記載の画像情報装置において、自動印刷モード設定状態で当該印刷が終了した後、印刷モードを手動印刷モードに戻す構成にしたことを特徴とする画像情報装置。
【請求項４】
請求項１、請求項２、または請求項３記載の画像情報装置において、印刷用紙に付したＲＦＩＤタグ情報を読み取るＲＦＩＤタグ読み取り手段を紙搬送途中位置に配置したことを特徴とする画像情報装置。
【請求項５】
請求項１乃至請求項４のいずれか一項に記載の画像情報装置において、前記ＲＦＩＤタグ読み取り手段によりＲＦＩＤタグ情報を取得したときにその旨を表示させる表示手段を備えたことを特徴とする画像情報装置。
【請求項６】
請求項１乃至請求項５のいずれか一項に記載の画像情報装置において、特定パターンの音または音声を発生する音発生手段または音声発生手段、または前記音発生手段または音声発生手段に接続可能なインタフェースを備え、前記ＲＦＩＤタグ読み取り手段によりＲＦＩＤタグ情報を取得したとき、その旨を示す特定パターンの音または特定の言葉を前記音発生手段または音声発生手段により発生させる構成にしたことを特徴とする画像情報装置。
【請求項７】
請求項１乃至請求項６のいずれか一項に記載の画像情報装置において、振動発生手段または該振動発生手段に接続可能なインタフェースを備え、前記ＲＦＩＤタグ読み取り手段によりＲＦＩＤタグ情報を取得したとき、その旨を示す特定パターンの振動を前記振動発生手段により発生させる構成にしたことを特徴とする画像情報装置。
【請求項８】
請求項１乃至請求項７のいずれか一項に記載の画像情報装置において、点字キーボードまたは点字キーボードに接続可能なインタフェースを備え、前記ＲＦＩＤタグ読み取り手段によりＲＦＩＤタグ情報を取得したとき、その旨を示す点字メッセージを前記点字キーボードにより表示させる構成にしたことを特徴とする画像情報装置。
【請求項９】
請求項１乃至請求項８のいずれか一項に記載の画像情報装置において、外部装置との通信を行う通信手段を備え、前記ＲＦＩＤタグ読み取り手段によりＲＦＩＤタグ情報を取得したとき、その旨を示すメッセージを前記通信手段により特定の外部装置へ送信する構成にしたことを特徴とする画像情報装置。
【発明の詳細な説明】
【技術分野】
【０００１】
本発明は、複写機など印刷用紙上に画像を形成することができる画像情報装置に係り、特に、ＲＦＩＤ（Radio Frequency Identification）タグ情報を読み取ることができる画像情報装置に関する。
【背景技術】
【０００２】
従来、一般には、複写機など画像情報装置では、印刷用紙に文字、記号、図表、画像などを印字・印刷するのみで、印刷用紙の紙サイズ、紙種別、印刷用紙の印刷可能サイズ、印刷用紙の形状、印刷用紙ごとの固有シリアル番号などを自動的に取得し、その取得情報に基づいて印刷設定内容を自動設定したり、その取得情報を基に印刷処理内容を変更したり、その取得情報や印刷設定内容を、視覚・聴覚・触覚を利用して利用者に通知したりすることができなかった。
以下、特許文献に示された関連従来技術を説明する。
まず、特許文献１に開示された印刷装置では、パーソナルコンピュータなどから渡されたデータ中に印刷用紙上のＲＦＩＤタグに書き込むデータが含まれていたとき、ＲＦＩＤタグ付き印刷用紙を供給させ、その印刷用紙のＲＦＩＤタグにＲＦＩＤタグデータを書き込むとともに、そのタグデータを可視化した文字や図形なども書き込む。なお、ＲＦＩＤタグとは、メモリ、メモリ制御回路、データ送受信回路（アンテナ回路を介してデータを送受信する）、および電源回路（アンテナ回路で受信した電磁波を電力に変換する）を持った回路群で構成される。このような回路群を例えば薄膜技術を用いて用紙上に実現するのである。
また、特許文献２に示された印刷装置では、パーソナルコンピュータと接続された印刷装置において、印刷用紙に紙質情報を記憶させたＩＤ（識別符号）チップを装着し、そのＩＤチップから紙質ＩＤ情報を取得し、その紙質ＩＤ情報に基づいて印刷装置の印刷設定内容を自動的に設定している。
【特許文献１】特開２００２−３３７４２６公報
【特許文献２】特開２００３−５４０７５公報
【発明の開示】
【発明が解決しようとする課題】
【０００３】
しかしながら、特許文献１および特許文献２に示された従来技術では、前記したように、ＲＦＩＤタグ情報として取得できる印刷関連情報は紙質情報に限定されていたし、例えば複写機やスキャナにおいて原稿用紙に付した印刷モード関連情報を読み取り、その情報も活用して印刷処理を行うというようなことはできなかった。また、手動印刷モード設定と自動印刷モード設定の切り替えを手動で行わねばならなかったし、用紙から取得したＲＦＩＤタグ情報に基づいて印刷モードを設定したことを利用者に通知するというようなことはできなかった。
本発明は、このような従来技術の状況を鑑みたものであり、具体的には、ＲＦＩＤタグ情報を用いて用紙の種類に対応した印刷設定を自動的に行なえるだけでなく、ＲＦＩＤタグ情報を原稿用紙と印刷用紙の両方から取得できる画像情報装置や、手動印刷モード設定と自動印刷モード設定の切り替えを自動的に行なったり、ＲＦＩＤタグ情報を取得できた場合に、その旨を高齢者や身体障害者、またはシステム管理者を含むさまざまな利用者に通知したりできる画像情報装置を提供することにある。
【課題を解決するための手段】
【０００４】
前記した課題を解決するために、請求項１記載の発明では、原稿用紙上の画像を読み取る画像読み取り手段と、ＲＦＩＤタグ情報を読み取るＲＦＩＤタグ読み取り手段と、前記画像読み取り手段により読み取られた画像を、前記ＲＦＩＤタグ読み取り手段により読み取られたＲＦＩＤタグ情報に基づいて自動的に設定した印刷モードで印刷用紙上に印刷する印刷手段とを備えた画像情報装置において、ＲＦＩＤタグ情報を原稿用紙と印刷用紙の両方に付け、その両方のＲＦＩＤタグ情報を読み取るように前記ＲＦＩＤタグ読み取り手段を構成するとともに、そのＲＦＩＤタグ読み取り手段により読み取られた両方のＲＦＩＤタグ情報に基づいて印刷モードを設定する自動印刷モード設定手段を備えた。
また、請求項２記載の発明では、原稿用紙上の画像を読み取る画像読み取り手段と、原稿用紙または印刷用紙に付したＲＦＩＤタグ情報を読み取るＲＦＩＤタグ読み取り手段と、前記画像読み取り手段により読み取られた画像を、前記ＲＦＩＤタグ情報に基づいて設定された印刷モードで印刷用紙上に印刷する印刷手段とを備えた画像情報装置において、操作手段を用いて前記印刷モードを手動で設定させる手動印刷モード設定手段と、前記ＲＦＩＤタグ読み取り手段により読み取られたＲＦＩＤタグ情報から当該画像情報装置の印刷モードを自動的に設定する自動印刷モード設定手段とを備え、前記ＲＦＩＤタグ読み取り手段によりＲＦＩＤタグ情報が取得されたとき、自動的に、手動印刷モード設定状態から自動印刷モード設定状態に移行させる構成にした。
また、請求項３記載の発明では、請求項２記載の発明において、自動印刷モード設定状態で当該印刷が終了した後、印刷モードを手動印刷モードに戻す構成にした。
また、請求項４記載の発明では、請求項１、請求項２、または請求項３記載の発明において、印刷用紙に付したＲＦＩＤタグ情報を読み取るＲＦＩＤタグ読み取り手段を紙搬送途中位置に配置した。
【０００５】
また、請求項５記載の発明では、請求項１乃至請求項４のいずれか一項に記載の発明において、前記ＲＦＩＤタグ読み取り手段によりＲＦＩＤタグ情報を取得したときにその旨を表示させる表示手段を備えた。
また、請求項６記載の発明では、請求項１乃至請求項５のいずれか一項に記載の画像情報装置において、特定パターンの音または音声を発生する音発生手段または音声発生手段、または前記音発生手段または音声発生手段に接続可能なインタフェースを備え、前記ＲＦＩＤタグ読み取り手段によりＲＦＩＤタグ情報を取得したとき、その旨を示す特定パターンの音または特定の言葉を前記音発生手段または音声発生手段により発生させる構成にした。
また、請求項７記載の発明では、請求項１乃至請求項６のいずれか一項に記載の発明において、振動発生手段またはその振動発生手段に接続可能なインタフェースを備え、前記ＲＦＩＤタグ読み取り手段によりＲＦＩＤタグ情報を取得したとき、その旨を示す特定パターンの振動を前記振動発生手段により発生させる構成にした。
また、請求項８記載の発明では、請求項１乃至請求項７のいずれか一項に記載の発明において、点字キーボードまたはその点字キーボードに接続可能なインタフェースを備え、前記ＲＦＩＤタグ読み取り手段によりＲＦＩＤタグ情報を取得したとき、その旨を示す点字メッセージを前記点字キーボードにより表示させる構成にした。
また、請求項９記載の発明では、請求項１乃至請求項８のいずれか一項に記載の発明において、外部装置との通信を行う通信手段を備え、前記ＲＦＩＤタグ読み取り手段によりＲＦＩＤタグ情報を取得したとき、その旨を示すメッセージを前記通信手段により特定の外部装置へ送信する構成にした。
【発明の効果】
【０００６】
本発明によれば、請求項１記載の発明では、ＲＦＩＤタグ情報を原稿用紙と印刷用紙の両方に付け、その両方のＲＦＩＤタグ情報を読み取り、読み取られた両方のＲＦＩＤタグ情報に基づいて印刷モードを設定することができるので、きめの細かい印刷モード設定ができる。
また、請求項２記載の発明では、ＲＦＩＤタグ情報が取得されたとき、自動的に、手動印刷モード設定状態から自動印刷モード設定状態に移行させることができるので、自動印刷モード設定状態へ手動で移行させる手間が省ける。
また、請求項３記載の発明では、請求項２記載の発明において、自動印刷モード設定状態で当該印刷が終了した後、印刷モードを自動的に手動印刷モードへ戻すことができるので、手動印刷モード設定状態へ手動で移行させる手間が省ける。
また、請求項４記載の発明では、請求項１、請求項２、または請求項３記載の発明において、印刷用紙に付したＲＦＩＤタグ情報を読み取るＲＦＩＤタグ読み取り手段を紙搬送途中位置に配置したので、給紙カセット付近に給紙カセットごとに配置した場合は複数のＲＦＩＤタグ読み取り手段が必要だったのに対して１個で済み、したがって、低コストを図ることができる。
【０００７】
また、請求項５記載の発明では、請求項１乃至請求項４のいずれか一項に記載の発明において、ＲＦＩＤタグ読み取り手段によりＲＦＩＤタグ情報を取得したときにその旨を表示させることができるので、利用者は印刷モードが自動的に設定されたことを知ることができる。
また、請求項６記載の発明では、請求項１乃至請求項５のいずれか一項に記載の発明において、ＲＦＩＤタグ情報を取得したとき、その旨を示す特定パターンの音または特定の言葉を発生させることができるので、視覚障害者であっても、利用者は印刷モードが自動的に設定されたことを知ることができる。
また、請求項７記載の発明では、請求項１乃至請求項６のいずれか一項に記載の発明において、ＲＦＩＤタグ情報を取得したとき、その旨を示す特定パターンの振動を発生させることができるので、視聴覚障害者であっても、利用者は印刷モードが自動的に設定されたことを知ることができる。
また、請求項８記載の発明では、請求項１乃至請求項７のいずれか一項に記載の発明において、ＲＦＩＤタグ情報を取得したとき、その旨を示す点字メッセージを点字キーボードにより表示させることができるので、同様に、視聴覚障害者であっても、利用者は印刷モードが自動的に設定されたことを知ることができる。
また、請求項９記載の発明では、請求項１乃至請求項８のいずれか一項に記載の発明において、ＲＦＩＤタグ情報を取得したとき、その旨を示すメッセージを通信手段により特定の外部装置へ送信できるので、システム管理者など利用者は印刷モードが自動的に設定されたことを知ることができる。
【発明を実施するための最良の形態】
【０００８】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
この実施形態の画像情報装置は、例えば原稿画像を複写する複写機能、通信回線を介して画像データを送受信するファクシミリ機能、および、外部インタフェースを介して外部装置から供給される画像データに基づいて印刷するプリンタ機能を備えた画像情報装置、つまり複合型デジタル複写機（以下、デジタル複写機または複写機と略称する）として構成される。
図１は、このような複写機の内部構造を概略的に示す断面図である。図１に示したように、この複写機（この例では電子写真式デジタル複写機）５０は、原稿画像を読み取って画像データを生成する画像読み取り手段として機能するスキャナ部（画像読み取り部）５０ａ、および画像データに基づいて画像を形成する印刷手段として機能するプリンタ部（印刷部）５０ｂを備えている。また、複写機５０は、このスキャナ部５０ａの上部に、スキャナ部５０ａを構成している原稿テーブル（原稿台）に対して開閉可能に形成されて読み取り対象の原稿Ｄを原稿台に向けて１枚ずつ給送するとともに、原稿台に載置された原稿Ｄを原稿台に密着させる原稿押さえとしても機能する搬送手段としての原稿自動給送装置５１を備えている。
また、スキャナ部５０ａは、その上部で、閉じた状態にある原稿自動給送装置５１に対向するとともに、原稿Ｄがセットされる透明なガラスからなる原稿テーブル５２、およびその原稿テーブル５２の一端に配置されるとともに原稿テーブル５２に原稿Ｄをセットすべき位置を示す原稿スケール５３を備えている。
その原稿テーブル５２の下方には、原稿テーブル５２に載置された原稿Ｄを照明する露光ランプ５４、その露光ランプ５４からの光ビームを原稿Ｄに集光させるための補助反射板５８、および原稿Ｄからの反射ビームを図中左方向に折曲げる第１ミラー５６などを配置している。露光ランプ５４、補助反射板５８、および第１ミラー５６は、第１キャリッジ５７に固定されており、第１キャリッジ５７の移動にともなって原稿テーブル５２と平行に移動可能に配置されている。なお、第１キャリッジ５７は、図示しない歯付きベルトなどを介して図示しないパルスモータの駆動力が伝達されて、原稿テーブル５２に沿って平行に移動する。
【０００９】
原稿テーブル５２の図中左方、つまり第１ミラー５６により反射された反射ビームが案内される方向には、第２キャリッジ５９が配設されている。その第２キャリッジ５９には、第１ミラー５６により案内される原稿Ｄからの反射ビームを下方に折曲げる第２ミラー６０、および図中右方に折り曲げる第３ミラー６１が互いに直角に配置されている。第２キャリッジ５９は、第１キャリッジ５７を駆動する図示しない歯付きベルトなどにより第１キャリッジ５７に従動されるとともに、第１キャリッジ５７に対して１／２の速度で原稿テーブル５２に沿って平行に移動する。
第１キャリッジ５７の下方であって、第２キャリッジ５９を介して折返されたビームの光軸を含む面内には、第２キャリッジ５９からの反射ビームを所定の倍率で結像させる結像レンズ６２、および結像レンズ６２により集束性が与えられた反射ビームを電気信号（画像データ）に変換する複数のＣＣＤイメージセンサからなるイメージセンサ（ラインセンサ）１００が配置されている。なお、ここでは、イメージセンサ１００として複数のＣＣＤイメージセンサが配列されている方向を主走査方向と呼び、第１キャリッジ５７および第２キャリッジ５９が移動する方向を副走査方向と呼ぶ。また、この読み取り装置部分は、スキャナ部５０ａを固定させ、原稿自動給送装置５１により原稿を搬送させながら画像を読み取る、シートスルータイプの画像読み取り構成でも可能である。
一方、プリンタ部５０ｂでは、画像メモリに記憶された画像データに従って画像を形成し出力する。具体的には、感光体ドラム１２を矢示方向に回転させると同時に、その感光体ドラム１２上に付着した残留トナーおよび不均一な電位が帯電チャージャ１３および現像ユニット１４、１５に到達しないように、除電ランプ（ＱＬ）１６、転写前除電ランプ（ＰＴＬ）１７、転写チャージャ１８、分離チャージャ１９、イレーサ２０、およびクリーニングユニット２１を駆動して、除電ランプ１６を通過した後の感光体ドラム１２の表面電位が略ゼロになるようにする。
その後、感光体ドラム１２の表面を帯電チャージャ１３により一様に帯電するとともに、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー２２に入射し、その反射光が光学系（レンズ）２３およびミラー２４を介して感光体ドラム１２の表面を照射して静電潜像を形成する。
【００１０】
次いで、感光体ドラム１２上に形成された潜像の電荷のうち、非画像部（画像作成領域からはみ出した不要部分）の電荷をイレーサ２０により除去した後、黒トナーにより現像を行う黒現像ユニット１４あるいはカラートナーにより現像を行うカラー現像ユニット１５よりトナーを付着して可視像化する。このとき、現像バイアス電位を変化させることにより画像の濃淡を調整することができる。
他方、給紙クラッチを選択的にＯＮにして呼出コロ２５および３個の給紙コロ２６のいずれかを駆動し、予め選択された給紙段（後述する）にセットされている転写紙（印刷用紙）を停止中のレジストローラ対２７に向けて給紙させる。そのレジストローラ対２７の手前にはレジストセンサ２８（例えば反射型フォトセンサ）が配設されており、その対向位置に転写紙の先端が到達するとレジストセンサ２８がＯＮ状態になる。その時点から所定時間経過後に給紙クラッチをＯＦＦ状態に戻して搬送中の転写紙を停止させる。なお、給紙クラッチのＯＦＦタイミングは、レジストセンサ２８とレジストローラ対２７の間を転写紙が搬送される時間より長くとられている。したがって、その転写紙は先端がレジストローラ対２７に付き当たり先端側にたわみを生じた状態で待機する。
その後、感光体ドラム１２上に形成されているトナー像の先端に合わせたタイミングでレジストクラッチをＯＮ状態にし、それによってレジストローラ対２７を回転駆動して待機中の転写紙を転写部へ向けて再搬送する。そして、その転写紙が転写部に到達すると、転写チャージャ１８の作用により感光体ドラム１２上のトナー像をその紙面上に転写し、続いて、分離チャージャ１９の作用により紙面上の帯電電位を下げて転写紙と感光体ドラム１２との密着力を低下させた後、分離爪２９によりその転写紙を感光体面から分離する。
【００１１】
次いで、その転写紙を２個のローラで張装された搬送ベルト３０により定着部へ送り、その定着ローラ３１によってトナー像を熱定着し、その後、コピーモードとして片面モードが選択されていれば切替え爪３２の上側を通して外部の図示しない排紙トレイに排紙し、両面モードが選択されていれば切替え爪３２の切り替えによって下側の再給紙用搬送経路３３ヘ送り込む。
なお、画像転写後の感光体ドラム１２上の残留トナーはクリーニングユニット２１を構成するクリーニングブラシ２１ａ、クリーニングブレード２１ｂにより除去してトナー回収タンク２１ｃに回収させ、さらに、残存電荷を消去するためにその感光面を除電ランプ１６によって全面露光させる。
ところで、この複写機には、特定サイズの転写紙のみをまとめて収納できる給紙カセットとして、それぞれ異なるサイズの転写紙をセットした３つの給紙カセット３４〜３６を着脱可能に備え、また、そのいずれの給紙カセットにも収納されていない転写紙、つまり不特定サイズの転写紙をセットできる手差しテーブル（手差しトレイ）３７も備えている。そして、各給紙カセット３４〜３６のいずれかに収納されている転写紙を用いてコピーする場合は、そのカセットサイズを図示しない操作パネル上のサイズ選択キーによって選択した後、コピースタートキーを押下することにより、その給紙カセットから転写紙を給紙する。
なお、各給紙カセット３４〜３６の各収納用紙サイズを検知するためのサイズ検知センサ３８ａ〜３８ｃ（例えば５連のフォトインタラプタ）を備え、さらに、各給紙カセット３４〜３６の先端部には、それぞれ図示しないサイズ識別用の遮光板が付設されている。この遮光板はカセット内に収納されるべき転写紙のサイズごとに異なる切欠部を有している。サイズ検知センサ３８ａ〜３８ｃは、給紙カセット３４〜３６が装着されると、その遮光板の遮光部を挟んだフォトインタラプタのみが光路を遮断されるので、それに応じた信号（コード）をそれぞれ後述する制御部へ出力することができる。
【００１２】
一方、不特定サイズの転写紙を用いてコピーする場合には、手差しテーブル３７を仮想線で示す閉じた状態から矢示Ａ方向に開いて実線で示す使用状態にした後、その上面に所望の転写紙をセットして、コピースタートキーを押下することにより、その手差しテーブル３７から転写紙を給紙する。なお、手差しテーブル３７が開く方向に回動すると、第１給紙カセット３４に設けられている転写紙載置用の底板を持ち上げていた底板上昇アーム３９がそれに連動して図１に示した位置まで下降する。また、この複写機の手差しテーブル３７に対向する位置には、その手差しテーブル３７の開閉を検知するための開閉検知センサ３７ａが設置されている。
また、給紙カセット３４〜３６のいずれか、または手差しテーブル３７から給紙された用紙がレジスト位置に到達する前位置に、ＲＦＩＤタグ読み取り装置４０を配置し、用紙に付したＲＦＩＤタグとの間で通信を行う。なお、ＲＦＩＤタグは例えば薄膜技術により実現し、メモリ、メモリ制御回路、アンテナ回路を介してデータを送受信するデータ送受信部、およびアンテナ回路で受信した電磁波を電力に変換する電源回路など、回路群から構成されている。このような構成で、ＲＦＩＤタグ読み取り装置４０が送信電波をＲＦＩＤタグに照射すると、ＲＦＩＤタグのアンテナ回路が制御コマンドを含む電磁波を受信し、受けた電磁波から起電力を発生させ、それにより、ＲＦＩＤ側はＲＦＩＤタグ情報をアンテナ回路により発信し、ＲＦＩＤタグ読み取り装置４０がその情報を読み取る（ＲＦＩＤタグ読み取り装置８０の場合も同様である）。
【００１３】
図２は、このデジタル複写機の制御部の主として画像処理に係わる部分を示す概略ブロック構成図である。図示したように、ビデオ処理回路１０１、画像処理回路１０２、ビデオ書き込み処理回路１０３、ＬＤ制御部１０４、ＣＰＵ１０５、ＲＯＭ１０６、ＲＡＭ１０７、画像メモリ１０８、インタフェース（Ｉ／Ｆ）部１０９、およびシステムバス１１０を備えている。また、前記ＲＦＩＤタグ読み取り部４０、８０がシステムバス１１０に接続されている。
前記において、ビデオ処理回路１０１は、スキャナ部５０ａにより読み取った画像データ（イメージセンサ１００から出力される信号）をＡ／Ｄ変換して黒オフセット補正、シェーディング補正、画素位置補正を行う。画像処理回路１０２は、図３に示したように色分離回路１２０、ＭＴＦ補正回路１２１、変倍回路１２２、γ補正回路１２３、および画質処理回路１２４から成り、それらによってビデオ処理回路１０１から入力される画像データに対して画像処理を施す。この処理については、追って詳細に説明する。
ビデオ書き込み処理回路１０３は、画像処理回路１０２から入力される画像データに応じてプリンタ部５０ｂを制御する。ＬＤ制御部１０４は、ビデオ書き込み処理回路１０３からのビデオ信号に応じて半導体レーザであるレーザダイオード（ＬＤ）１１２の発光制御をつかさどる。
ＣＰＵ１０５は、ＲＯＭ１０６内の制御プログラムに従ってこのデジタル複写機全体を統括的に制御する。ＲＯＭ１０６は、ＣＰＵ１０５を動作させるための制御プログラムを含む各種固定データを格納した読み出し専用のメモリである。ＲＡＭ１０７は、ＣＰＵ１０５がデータ処理の際に一次的に使用する読み書き可能なメモリである。
【００１４】
画像メモリ１０８は、画像処理回路１０２から送られてくる画像データを記憶する読み書き可能なメモリである。インタフェース部１０９は画像処理回路１０２とシステムバス１１０との間のインフェースを、システムバス１１０は各回路間のデータのやりとりをそれぞれつかさどる。操作パネル１１１は、この発明に係わる編集内容の指示を含む各種情報を入力する入力部と各種情報を表示する表示部とから成る。
このような構成で、ビデオ処理回路１０１では、イメージセンサ１００によって読み取られたＲ、Ｇ、Ｂの画像信号を増幅し、Ａ／Ｄ変換し、黒オフセット補正、シェーディング補正、画素位置補正を行い、所定のクロックに同期した８ビットのデジタルデータである赤画像データＲＤＴ０〜７、緑画像データＧＤＴ０〜７、青画像データＢＤＴ０〜７として出力する。
ここで、黒オフセット補正とは、イメージセンサ（ＣＣＤ）１００の暗電流の黒レベルを画像データから減算する補正である。シェーディング補正とは、主走査方向の露光ランプ５４の光量むらやイメージセンサ１００の各色用ＣＣＤの画素間の感度差によるむらを除くため、原稿走査開始前に濃度の均一な白板を読み取ってそのデータを画素ごとに記憶し、原稿読み取り中の画像データから、記憶した画素ごとの白板のデータを除算することにより補正を行うものである。また、画素位置補正とは、イメージセンサ１００として各色に対応して３個のＣＣＤを用いた場合、副走査方向の画素の位置ずれ（つまり、色ずれ）があるので、それを補正するものである。
画像処理回路１０２では、ビデオ処理回路１０１から出力されるＲＧＢの画像データＲＤＴ０〜７、ＧＤＴ０〜７、ＢＤＴ０〜７を図３に示した色分離回路１２０で黒画像データＢＬＫＤＴ０〜７から分離する。さらに、その画像データＢＬＫＤＴ０〜７に対してＭＴＦ補正回路１２１がＭＴＦ補正を施し、変倍回路１２２が主走査方向の変倍を行ない、γ補正回路１２３がγ補正を行い、画質処理回路１２４がディザや誤差拡散などの画質処理を行う。なお、ＭＴＦ補正とは、光学的な周波数特性の劣化などを２次元の空間フィルタで補正するものである。こうして、各種の補正がなされた黒画像データＢＬＫＤＴ０〜７はインタフェース部１０９に送られ、黒画像データＢＬＫＤＴ０〜７は画像メモリ１０８に記憶される。
【００１５】
画像データＢＬＫＤＴ０〜７はビデオ書き込み処理回路１０３にも送られ、そこでプリンタ部５０ｂの書き込み速度に対応できるビデオ信号に変換され、ＬＤ制御部１０４に入力され、その画像信号に応じてレーザダイオード１１２に与える電流のパルス幅や電流の量をコントロールし、図１に示した感光体ドラム１２上に光書き込みを行なって静電潜像を形成する。
なお、画像処理回路１０２はメイン制御部のＣＰＵ１０５とアドレスバスおよびデータバスを共有しており、これを介して通信する。ＣＰＵ１０５は、スキャナ部５０ａやプリンタ部５０ｂのモータコントロール、各種クラッチおよびソレノイドのコントロールも行なっている。
原稿自動給送装置５１は、自身の後端縁部が複写機５０の上面後端縁部に図示しないヒンジ装置を介して取付けられたカバー６４を備え、必要に応じて原稿自動給送装置５１全体を回動変位させることで、既に説明したように、原稿テーブル５２に対して開閉可能に形成されている。
カバー６４の上面のやや左方向部位には、所定枚数、例えば５０枚の原稿Ｄを保持することが可能な原稿給紙台６５が設けられている。原稿給紙台６５の図中左方、つまり原稿自動給送装置５１の一端側には、原稿給紙台６５にセットされた原稿Ｄを順次１枚ずつ取出すとともに、図中左端側から原稿テーブル５２の一端側に供給するためのピックアップローラ６７が配置されている。
原稿給紙台６５の所定の位置には、原稿給紙台６５に原稿Ｄがセットされたか否かを検知する検知手段として機能する原稿検知センサであるエンプテイセンサ６６が配設されている。なお、原稿給紙台６５には、原稿テーブル５２に原稿Ｄがセットされた位置を検知する原稿位置検知センサ５５と同様に機能する図示しない原稿幅検知センサが配置されてもよい。
【００１６】
ピックアップローラ６７の原稿取り出し方向には、ピックアップローラ６７により取り出された原稿Ｄを原稿テーブル５２に向けて送出する給紙ローラ６８、および給紙ローラ６８により給送された原稿Ｄの先端を整位するアライニングローラ６９が配置されている。
その給紙ローラ６８とアライニングローラ６９との間には、原稿Ｄのアライニングローラ６９への到達を検出するアライニングセンサ７０が配置されている。また、カバー６４の内側であって、原稿自動給送装置５１が閉じられた状態で原稿テーブル５２との対向位置には、原稿テーブル５２のほぼ全体を覆う大きさが与えられ、ピックアップローラ６７、給紙ローラ６８、およびアライニングローラ６９を介して原稿給紙台６５から搬送された原稿Ｄを原稿テーブル５２の所定の位置に搬送する搬送ベルト７１が配置されている。その搬送ベルト７１は、図中左右一対に配置されたベルトローラ７２に掛け渡され、図示しないベルト駆動機構によって、図中右側および図中左側の両方向に向けて回転する。
原稿自動給送装置５１の右側部位には、搬送ベルト７１により図中左側から図中右側に移動される原稿Ｄをカバー６４の外側に向けて送出する反転ローラ７３、その反転ローラ７３に原稿Ｄを押し付けるピンチローラ７４、反転ローラ７３とピンチローラ７４により搬送される原稿Ｄを、再び搬送ベルト７１へ戻すか所定の排出位置つまりカバー６４上に排出させるかを切り換えるフラッパ７５、そのフラッパ７５が排出側に切り換えられている場合に、反転ローラ７３により搬送された原稿Ｄを排出させる排紙ローラ７６、および反転ローラ７３の近傍における原稿のジャムを検知するジャムセンサ７７などが配置されている。
また、原稿自動給送装置５１内の原稿搬送経路上にはＲＦＩＤタグ読み取り装置８０が配置され、原稿用紙に付したＲＦＩＤタグとの間で原稿搬送中に通信を行う。
【００１７】
また、複写機５０の前面上部には、様々な複写条件および複写開始指示などを入力する操作パネル１１１が設けられている。図４に示したように、操作パネル１１１には、複写を実行させるに際して複写モードを設定する複写ボタン２０２、ファクシミリ通信を実行させるに際してＦＡＸモードを設定するＦＡＸボタン２０４、および印刷（プリント）を実行させるに際してプリンタモードを設定するプリンタボタン２０６が設けられている。
また、操作パネル１１１には、複写モードにおいて複写枚数などの数値を入力するテンキー２０８、複写の開始を指示するスタートボタン２１０、複写枚数を訂正するときや複写動作を停止させるときなどに用いるクリア／ストップボタン２１２、選択したモードや各種設定した条件などをすべてクリアするオールクリアボタン２１４、および複写倍率を設定する倍率設定ボタン２１６が設けられている。スタートボタン２１０は、原稿給紙台６５にセットされた原稿の読み取り開始を指示するとともに、画像データに基づいた印刷を指示する入力手段として機能する。
さらに、操作パネル１１１には、画像を形成したい用紙のサイズを選択・設定するための用紙サイズボタン２１８、原稿台に載置された原稿のサイズを検知して自動的に用紙サイズを設定する自動用紙選択ボタン２２０、原稿サイズを設定するための原稿サイズボタン２２２、および用紙サイズボタン２１８によって設定された用紙サイズと検知した原稿サイズとに基づいて自動的に複写倍率を設定する自動倍率選択ボタン２２４が設けられている。
【００１８】
これらの各種設定ボタンの他に、さらに、設定されたモードの内容や操作手順などの案内情報を表示させる操作ガイドボタン２２６、予熱状態を設定する予熱ボタン２２８、プリンタ部の動作中に割り込みを指示する割り込みボタン２３０などが設けられている。
そして、この操作パネル１１１のほぼ中央には、装置の状態、操作手順、および利用者に対して各種のメッセージを文字や図形で表示する報知手段として機能するタッチパネル式の液晶表示装置（ＬＣＤ）によって構成された表示パネル２４０が設けられている。この表示パネル２４０は、機能毎にその操作を画面に表示するものである。
表示パネル２４０は、利用者に情報を提供するための上段、中段、下段の３つのエリアからなるメッセージエリアと、基本操作を指定するための「基本」ボタン、編集操作を指定するための「編集」ボタン、拡張操作を指定するための「拡張」ボタン、設定操作を指定するための「指定」ボタンなどのタイトル切り替えボタンが配置されたタイトルエリアと、原稿枚数やコピー枚数などを表示するためのフィールドエリアを有している。そして、基本操作では、通常の複写動作、つまり原稿画像を読み取って原稿画像に対応した画像を用紙上に形成する第１印刷モードが実行される。編集操作では、特殊な複写動作、つまり原稿画像を読み取って原稿画像を副走査方向に反転させた画像つまり鏡像を用紙上に形成する第２印刷モードなどを設定することができる。
以下、各実施例について説明する。なお、以下の実施例において、請求項記載のＲＦＩＤタグ読み取り手段がＲＦＩＤ読取装置４０やＲＦＩＤ読取装置８０などにより実現され、自動印刷モード設定手段および手動印刷モード設定手段がＣＰＵ１０５およびＲＯＭ１０６などにより実現され、操作手段が操作パネル１１１により実現される。
【実施例１】
【００１９】
この実施例のデジタル複写機では、前記したデジタル複写機において、ＲＦＩＤタグ読み取り装置４０およびＲＦＩＤタグ読み取り装置８０によりＲＦＩＤタグ情報を取得するとともに、ＲＦＩＤタグ情報が取得されたとき、手動印刷モード設定状態を自動的に解除し、自動印刷モード設定状態に移行する。以下、図５などに従って、この実施例の動作を説明する。なお、図５に示した動作フローは、ＲＯＭ１０６（図２参照）に格納されているプログラムをＣＰＵ１０５が解読・実行することにより実現している。
図５に示したように、電源投入後（Ｓ１）、装置内部の初期設定を行い（Ｓ２）、手動印刷モード設定状態に移行する（Ｓ３）。
この後、印刷待機状態となり、その状態において、原稿台６５に原稿用紙を積置し、利用者が操作パネル１１１内のボタンを押下して印刷要求（複写要求）を行うと（Ｓ４でＹｅｓ）、ＣＰＵ１０５の制御により１枚目の原稿用紙先端がピックアップローラ６７および給紙ローラ６８により搬送され（Ｓ５）、ＲＦＩＤタグ読み取り部８０を通過する。このとき、原稿用紙にＲＦＩＤタグが付されていた場合、ＲＦＩＤタグ読み取り部８０との間で所定の通信プロトコルによりデータ授受が行われる（Ｓ６）。なお、原稿用紙上のＲＦＩＤタグには、例えば、「画像が写真なので写真モードに設定を変える」旨の情報や、「コピー時に“社外秘”の文字を入れるように設定する」旨の情報など、原稿用紙上の画像に係る印刷モード設定情報が書き込まれている。
【００２０】
一方、印刷用紙が給紙ローラ２６により給紙カセット３４〜３７中の指定されたカセットから搬送され（Ｓ５）、その印刷用紙がＲＦＩＤタグ読み取り部４０を通過すると、印刷用紙にＲＦＩＤタグが付されていた場合、ＲＦＩＤタグ読み取り部４０との間で所定の通信プロトコルによりデータ授受が行われる（Ｓ６）。なお、印刷用紙上のＲＦＩＤタグには、印刷用紙情報（例えば、紙厚、紙質、両面印刷）などが格納されており、それに基づいて印刷モードを変えたり、厚紙ならば定着温度を上げたりするのである。
こうして、ＲＦＩＤタグ読み取り部４０およびＲＦＩＤタグ読み取り部８０が共に所定のデータ授受に成功すると（Ｓ７でＹｅｓ）、ＣＰＵ１０５は印刷モード設定に必要なタグデータを両方のＲＦＩＤタグ情報から取得し（Ｓ８）、このデジタル複写機の印刷モード設定を手動印刷モード設定状態から自動印刷モード設定状態に移行させる（Ｓ９）。そして、ＣＰＵ１０５は両方の用紙上のＲＦＩＤタグから取得した印刷モードデータに基づいて、紙質や紙厚に対する最適な定着部温度の設定、既にレイアウト済みの印刷用紙に対する印刷の綴じ代設定やトリミング設定など、内部の印刷モードの設定を変更し（Ｓ１０）、その設定に従って印刷を実行する（Ｓ１１）。
一方、ステップＳ７において、ＲＦＩＤタグ読み取り部４０またはＲＦＩＤタグ読み取り部８０が所定のデータ授受に失敗すると（Ｓ７でＮｏ）、手動印刷モードによる印刷を行う（Ｓ１１）。
なお、前記において、ＲＦＩＤタグを原稿用紙または印刷用紙のいずれかに付け、ＲＦＩＤタグを付けた用紙に対応する、ＲＦＩＤタグ読み取り部４０またはＲＦＩＤタグ読み取り部８０のいずれかを備える構成も可能である（後述する各実施例についても同様）。また、動作フロー図には示していないが、この動作フローが終了した後に、ＣＰＵ１０５は印刷モード設定を手動印刷モード設定状態に戻しておく（後述する各実施例についても同様）。
こうして、この実施例によれば、ＲＦＩＤタグ情報が取得されたとき、自動的に手動印刷モード設定状態から自動印刷モード設定状態に移行するし、自動印刷モード設定による印刷後は自動的に手動印刷モード設定状態に戻るので、印刷モード設定状態を手動で移行させる手間が省ける。また、ＲＦＩＤタグ読み取り部４０とＲＦＩＤタグ読み取り部８０を備えたので、ＲＦＩＤタグ情報を原稿用紙と印刷用紙の両方から取得でき、したがって、きめの細かい印刷モード設定ができる。また、印刷用紙に付したＲＦＩＤタグ情報を読み取るＲＦＩＤタグ読み取り部４０を紙搬送途中位置に配置したので、給紙カセット付近に給紙カセットごとに配置した場合は複数のＲＦＩＤタグ読み取り手段が必要だったのに対して１個で済み、したがって、低コストを図ることができる。
【実施例２】
【００２１】
この実施例では、実施例１の動作に加え、ＲＦＩＤタグ読み取り手段によりＲＦＩＤタグ情報を取得したとき、その旨を表示させる。以下、図６などに従って、この実施例の動作フローを説明する。なお、この実施例では、請求項５記載の表示手段が例えば表示パネル２４０により実現される。
図６に示したように、電源投入後（Ｓ２１）、装置内部の初期設定を行い（Ｓ２２）、手動印刷モード設定状態に移行する（Ｓ２３）。
この後、印刷待機状態となり、その状態において、原稿台６５に原稿用紙を積置し、利用者が操作パネル１１１内のボタンを押下して印刷要求を行うと（Ｓ２４でＹｅｓ）、ＣＰＵ１０５の制御により１枚目の原稿用紙先端がピックアップローラ６７および給紙ローラ６８により搬送され（Ｓ２５）、ＲＦＩＤタグ読み取り部８０を通過する。このとき、原稿用紙にＲＦＩＤタグが付されていた場合、ＲＦＩＤタグ読み取り部８０との間で所定の通信プロトコルによりデータ授受が行われる（Ｓ２６）。
一方、印刷用紙が給紙ローラ２６により給紙カセット３４〜３７中の指定されたカセットから搬送され（Ｓ２５）、その印刷用紙がＲＦＩＤタグ読み取り部４０を通過すると、印刷用紙にＲＦＩＤタグが付されていた場合、ＲＦＩＤタグ読み取り部４０との間で所定の通信プロトコルによりデータ授受が行われる（Ｓ２６）。
こうして、ＲＦＩＤタグ読み取り部４０およびＲＦＩＤタグ読み取り部８０が共に所定のデータ授受に成功すると（Ｓ２７でＹｅｓ）、ＣＰＵ１０５は印刷モード設定に必要なタグデータを両方のＲＦＩＤタグ情報から取得し（Ｓ２８）、このデジタル複写機の印刷モード設定を手動印刷モード設定状態から自動印刷モード設定状態に移行させる（Ｓ２９）。そして、ＣＰＵ１０５は両方の用紙上のＲＦＩＤタグから取得した印刷モードデータに基づいて、紙質や紙厚に対する最適な定着部温度の設定、既にレイアウト済みの印刷用紙に対する印刷の綴じ代設定やトリミング設定など、内部の印刷モードの設定を変更する（Ｓ３０）。
【００２２】
続いて、ＣＰＵ１０５は、ＲＦＩＤタグ情報を取得した旨を示す表示を行う。例えば、操作パネル１１１内の表示パネル２４０にメッセージでその旨を表示するとか、別の発光手段（例えばパイロットランプ、ＬＥＤ、電光掲示板、室内照明など）を点灯あるいは点滅させるとか、多色発光機能を有する光源の場合にはその色を変化させながら発光させるとかするのである（Ｓ３１）。さらに、設定された印刷モードで印刷を実行する（Ｓ３２）。
前記において、発光のパターンやメッセージはＲＯＭ１０６（図２参照）に記憶させたデータまたはプログラムに基づいてＣＰＵ１０５が発光手段を制御することにより実現する。この場合、制御をＣＰＵ１０５が直接行なってもよいし、発光手段に内蔵された制御機能を使ってＣＰＵ１０５が間接的に制御しても構わない。また、発光のパターンやメッセージのデータまたはプログラムはこのデジタル複写機外に持ち、着脱可能な記憶媒体や通信手段によりデジタル複写機内に取り込んでも構わない。
一方、ステップＳ２７において、いずれか一方が所定のデータ授受に失敗すると（Ｓ２７でＮｏ）、手動印刷モードによる印刷を行う（Ｓ３２）。
こうして、この実施例によれば、ＲＦＩＤタグ情報が取得されたとき、その旨が表示されるので、実施例１の効果に加えて、利用者は印刷モードが自動的に設定されたことを知ることができる。
【実施例３】
【００２３】
この実施例のデジタル複写機では、実施例１において、スピーカやブザーなど音声発生手段または音発生手段を装置に内蔵または外付けで接続できるインタフェースを備え、ＲＦＩＤタグ情報が取得されたとき、その旨を、人の声データによるメッセージや断続音などにより利用者に通知できる。以下、図７などに従って、この実施例の動作フローを説明する。
この実施例では、図７に示したように、電源投入後（Ｓ４１）、装置内部の初期設定を行い（Ｓ４２）、手動印刷モード設定状態に移行する（Ｓ４３）。
この後、印刷待機状態となり、その状態において、原稿台６５に原稿用紙を積置し、利用者が操作パネル１１１内のボタンを押下して印刷要求を行うと（Ｓ４４でＹｅｓ）、ＣＰＵ１０５の制御により１枚目の原稿用紙先端がピックアップローラ６７および給紙ローラ６８により搬送され（Ｓ４５）、ＲＦＩＤタグ読み取り部８０を通過する。このとき、原稿用紙にＲＦＩＤタグが付されていた場合、ＲＦＩＤタグ読み取り部８０との間で所定の通信プロトコルによりデータ授受が行われる（Ｓ４６）。
一方、印刷用紙が給紙ローラ２６により給紙カセット３４〜３７中の指定されたカセットから搬送され（Ｓ４５）、その印刷用紙がＲＦＩＤタグ読み取り部４０を通過すると、印刷用紙にＲＦＩＤタグが付されていた場合、ＲＦＩＤタグ読み取り部４０との間で所定の通信プロトコルによりデータ授受が行われる（Ｓ４６）。
こうして、ＲＦＩＤタグ読み取り部４０およびＲＦＩＤタグ読み取り部８０が共に所定のデータ授受に成功すると（Ｓ４７でＹｅｓ）、ＣＰＵ１０５は印刷モード設定に必要なタグデータを取得し（Ｓ４８）、このデジタル複写機の印刷モード設定を手動印刷モード設定状態から自動印刷モード設定状態に移行させる（Ｓ４９）。そして、ＣＰＵ１０５は両方の用紙上のＲＦＩＤタグから取得した印刷モードデータに基づいて、紙質や紙厚に対する最適な定着部温度の設定、既にレイアウト済みの印刷用紙に対する印刷の綴じ代設定やトリミング設定など、内部の印刷モードの設定を変更する（Ｓ５０）。
【００２４】
続いて、ＣＰＵ１０５は、ＲＦＩＤタグ情報を取得した旨を示す音声または音による通知を行う（Ｓ５１）。例えば、操作パネル１１１内または別の位置に設けたスピーカにより特定のメッセージを発声させたり、ブザーにより特定の音パターンを発生させたりするのである。なお、音パターンや音声は、ＣＰＵ１０５がＲＯＭ１０６に記憶している音のパターンデータや音声データを取得して、またはプログラムに基づいてスピーカやブザーを制御することにより実現する。この場合、制御をＣＰＵ１０５が直接行なってもよいし、音声発生手段または音発生手段に内蔵された制御機能を使ってＣＰＵ１０５が間接的に制御しても構わない。また、音のパターンやメッセージのデータあるいはプログラムはデジタル複写機外に持ち、着脱可能な記憶媒体や通信手段によりデジタル複写機内に取り込んでも構わない。
一方、ステップＳ４７において、いずれかが所定のデータ授受に失敗すると（Ｓ４７でＮｏ）、手動印刷モードによる印刷を行う（Ｓ５２）。
こうして、この実施例によれば、ＲＦＩＤタグ情報が取得されたとき、その旨が音または音声で通知されるので、実施例１の効果に加えて、利用者（特に、視覚障害者）は印刷モードが自動的に設定されたことを知ることができる。
【実施例４】
【００２５】
この実施例のデジタル複写機では、実施例１において、電気信号を振動に変換する振動発生手段を装置に内蔵または外付けで接続できるインタフェースを備え、ＲＦＩＤタグ情報が取得されたとき、その旨を、特定パターンの振動により利用者に通知できる。以下、図８などに従って、この実施例の動作フローを説明する。
この実施例では、図８に示したように、電源投入後（Ｓ６１）、装置内部の初期設定を行い（Ｓ６２）、手動印刷モード設定状態に移行する（Ｓ６３）。
この後、印刷待機状態となり、その状態において、原稿台６５に原稿用紙を積置し、利用者が操作パネル１１１内のボタンを押下して印刷要求を行うと（Ｓ６４でＹｅｓ）、ＣＰＵ１０５の制御により１枚目の原稿用紙先端がピックアップローラ６７および給紙ローラ６８により搬送され（Ｓ６５）、ＲＦＩＤタグ読み取り部８０を通過する。このとき、原稿用紙にＲＦＩＤタグが付されていた場合、ＲＦＩＤタグ読み取り部８０との間で所定の通信プロトコルによりデータ授受が行われる（Ｓ６６）。
一方、印刷用紙が給紙ローラ２６により給紙カセット３４〜３７中の指定されたカセットから搬送され（Ｓ６５）、その印刷用紙がＲＦＩＤタグ読み取り部４０を通過すると、印刷用紙にＲＦＩＤタグが付されていた場合、ＲＦＩＤタグ読み取り部４０との間で所定の通信プロトコルによりデータ授受が行われる（Ｓ６６）。
こうして、ＲＦＩＤタグ読み取り部４０およびＲＦＩＤタグ読み取り部８０が共に所定のデータ授受に成功すると（Ｓ６７でＹｅｓ）、ＣＰＵ１０５は印刷モード設定に必要なタグデータを両方から取得し（Ｓ６８）、このデジタル複写機の印刷モード設定を手動印刷モード設定状態から自動印刷モード設定状態に移行させる（Ｓ６９）。そして、ＣＰＵ１０５は両方の用紙上のＲＦＩＤタグから取得した印刷モードデータに基づいて、紙質や紙厚に対する最適な定着部温度の設定、既にレイアウト済みの印刷用紙に対する印刷の綴じ代設定やトリミング設定など、内部の印刷モードの設定を変更する（Ｓ７０）。
【００２６】
続いて、ＣＰＵ１０５は、ＲＦＩＤタグ情報を取得した旨を示す振動を発生させる（Ｓ７１）。例えば、操作パネル１１１内または別の位置に設けた振動発生装置（例えばバイブレータ素子など）により所定の振動パターンで振動させるのである。なお、所定パターンの振動はＲＯＭ１０６に記憶させたデータまたはプログラムによりＣＰＵ１０５が振動発生装置を制御することにより実現する。この場合、制御をＣＰＵ１０５が直接行なってもよいし、振動発生装置に内蔵された制御機能を用いてＣＰＵ１０５が間接的に制御しても構わない。また、振動のパターンデータあるいはプログラムはデジタル複写機外に持ち、着脱可能な記憶媒体や通信手段によりデジタル複写機内に取り込んでも構わない。
一方、ステップＳ６７において、いずれかが所定のデータ授受に失敗すると（Ｓ６７でＮｏ）、手動印刷モードによる印刷を行う（Ｓ７２）。
こうして、この実施例によれば、ＲＦＩＤタグ情報が取得されたとき、その旨が所定の振動で通知されるので、実施例１の効果に加えて、利用者（特に、視聴覚障害者）は印刷モードが自動的に設定されたことを知ることができる。
【実施例５】
【００２７】
この実施例のデジタル複写機では、実施例１において、例えば電気信号をピンの上下運動に変換することにより点字を実現した点字キーボードを装置に内蔵するかまたは外付けで接続できるインタフェースを備え、ＲＦＩＤタグ情報が取得されたとき、その旨を示す所定のメッセージを文字や記号の点字で表現することにより利用者に通知できる。以下、図９などに従って、この実施例の動作フローを説明する。
この実施例では、図９に示したように、電源投入後（Ｓ８１）、装置内部の初期設定を行い（Ｓ８２）、手動印刷モード設定状態に移行する（Ｓ８３）。
この後、印刷待機状態となり、その状態において、原稿台６５に原稿用紙を積置し、利用者が操作パネル１１１内のボタンを押下して印刷要求を行うと（Ｓ８４でＹｅｓ）、ＣＰＵ１０５の制御により１枚目の原稿用紙先端がピックアップローラ６７および給紙ローラ６８により搬送され（Ｓ８５）、ＲＦＩＤタグ読み取り部８０を通過する。このとき、原稿用紙にＲＦＩＤタグが付されていた場合、ＲＦＩＤタグ読み取り部８０との間で所定の通信プロトコルによりデータ授受が行われる（Ｓ８６）。
一方、印刷用紙が給紙ローラ２６により給紙カセット３４〜３７中の指定されたカセットから搬送され（Ｓ８５）、その印刷用紙がＲＦＩＤタグ読み取り部４０を通過すると、印刷用紙にＲＦＩＤタグが付されていた場合、ＲＦＩＤタグ読み取り部４０との間で所定の通信プロトコルによりデータ授受が行われる（Ｓ８６）。
こうして、ＲＦＩＤタグ読み取り部４０およびＲＦＩＤタグ読み取り部８０が共に所定のデータ授受に成功すると（Ｓ８７でＹｅｓ）、ＣＰＵ１０５は印刷モード設定に必要なタグデータを取得し（Ｓ８８）、このデジタル複写機の印刷モード設定を手動印刷モード設定状態から自動印刷モード設定状態に移行させる（Ｓ８９）。そして、ＣＰＵ１０５は両方の用紙上のＲＦＩＤタグから取得した印刷モードデータに基づいて、紙質や紙厚に対する最適な定着部温度の設定、既にレイアウト済みの印刷用紙に対する印刷の綴じ代設定やトリミング設定など、内部の印刷モードの設定を変更する（Ｓ９０）。
【００２８】
続いて、ＣＰＵ１０５は、ＲＦＩＤタグ情報を取得した旨を示す点字によるメッセージを生成させる（Ｓ９１）。例えば、電気信号をピンの上下運動に変換することにより点字列を実現する点字キーボードを操作パネル１１１内またはそれとは別に設け、文字・記号などのメッセージを点字で行うのである。なお、点字キーボードへの電気信号はＲＯＭ１０６に記憶させたデータまたはプログラムに基づいてＣＰＵ１０５が生成してキーボード制御する。この場合、メッセージから電気信号に変換する処理をキーボード側に内蔵された制御機能を用いて行なっても構わない。また、メッセージのデータまたはプログラムはデジタル複写機外に持ち、着脱可能な記憶媒体や通信手段によりデジタル複写機内に取り込んでも構わない。
一方、ステップＳ８７において、いずれかが所定のデータ授受に失敗すると（Ｓ８７でＮｏ）、手動印刷モードによる印刷を行う（Ｓ９２）。
こうして、この実施例によれば、ＲＦＩＤタグ情報が取得されたとき、その旨が点字キーボードにより所定のメッセージを表現して通知されるので、実施例５と同様に、実施例１の効果に加え、利用者（特に、視聴覚障害者）は印刷モードが自動的に設定されたことを知ることができる。
【実施例６】
【００２９】
この実施例のデジタル複写機では、実施例１において、無線ＬＡＮや無線公衆回線など無線通信、有線ＬＡＮや有線公衆回線網など有線通信、ＩｒＤＡや高速光通信など光通信、超音波など音波通信により外部装置とデータ授受が可能な通信手段を備え、ＲＦＩＤタグ情報が取得されたとき、その旨を示す所定のメッセージをその通信手段により利用者や管理者に通知できる。以下、図１０などに従って、この実施例の動作フローを説明する。
この実施例では、図１０に示したように、電源投入後（Ｓ１０１）、装置内部の初期設定を行い（Ｓ１０２）、手動印刷モード設定状態に移行する（Ｓ１０３）。
この後、印刷待機状態となり、その状態において、原稿台６５に原稿用紙を積置し、利用者が操作パネル１１１内のボタンを押下して印刷要求を行うと（Ｓ１０４でＹｅｓ）、ＣＰＵ１０５の制御により１枚目の原稿用紙先端がピックアップローラ６７および給紙ローラ６８により搬送され（Ｓ１０５）、ＲＦＩＤタグ読み取り部８０を通過する。このとき、原稿用紙にＲＦＩＤタグが付されていた場合、ＲＦＩＤタグ読み取り部８０との間で所定の通信プロトコルによりデータ授受が行われる（Ｓ１０６）。
一方、印刷用紙が給紙ローラ２６により給紙カセット３４〜３７中の指定されたカセットから搬送され（Ｓ１０５）、その印刷用紙がＲＦＩＤタグ読み取り部４０を通過すると、印刷用紙にＲＦＩＤタグが付されていた場合、ＲＦＩＤタグ読み取り部４０との間で所定の通信プロトコルによりデータ授受が行われる（Ｓ１０６）。
こうして、ＲＦＩＤタグ読み取り部４０およびＲＦＩＤタグ読み取り部８０が共に所定のデータ授受に成功すると（Ｓ１０７でＹｅｓ）、ＣＰＵ１０５は印刷モード設定に必要なタグデータを両方から取得し（Ｓ１０８）、このデジタル複写機の印刷モード設定を手動印刷モード設定状態から自動印刷モード設定状態に移行させる（Ｓ１０９）。そして、ＣＰＵ１０５は両方の用紙上のＲＦＩＤタグから取得した印刷モードデータに基づいて、紙質や紙厚に対する最適な定着部温度の設定、既にレイアウト済みの印刷用紙に対する印刷の綴じ代設定やトリミング設定など、内部の印刷モードの設定を変更する（Ｓ１１０）。
【００３０】
続いて、ＣＰＵ１０５は、ＲＦＩＤタグ情報を取得した旨を示す所定のメッセージを装置内または装置外に設けた前記通信手段により外部装置（例えばパーソナルコンピュータ）へ転送する（Ｓ１１１）（図１１参照）。なお、送信するメッセージはＲＯＭ１０６にあらかじめ記憶させておくか、プログラムに基づいてＣＰＵ１０５がキーボードから入力させる。
一方、ステップＳ１０７において、いずれかが所定のデータ授受に失敗すると（Ｓ１０７でＮｏ）、手動印刷モードによる印刷を行う（Ｓ１１２）。
こうして、この実施例によれば、ＲＦＩＤタグ情報が取得されたとき、その旨を示す所定のメッセージがパーソナルコンピュータなど外部装置へ通知されるので、実施例１の効果に加え、利用者（例えばシステム管理者）は印刷モードが自動的に設定されたことを知ることができる。
【図面の簡単な説明】
【００３１】
【図１】本発明の一実施形態を示すデジタル複写機の概略断面図。
【図２】本発明の一実施形態を示すデジタル複写機要部の構成ブロック図。
【図３】本発明の一実施形態を示すデジタル複写機要部の詳細ブロック図。
【図４】本発明の一実施形態を示すデジタル複写機要部の平面図。
【図５】本発明の第１の実施例を示すデジタル複写機要部の動作フロー図。
【図６】本発明の第２の実施例を示すデジタル複写機要部の動作フロー図。
【図７】本発明の第３の実施例を示すデジタル複写機要部の動作フロー図。
【図８】本発明の第４の実施例を示すデジタル複写機要部の動作フロー図。
【図９】本発明の第５の実施例を示すデジタル複写機要部の動作フロー図。
【図１０】本発明の第６の実施例を示すデジタル複写機要部の動作フロー図。
【図１１】本発明の第６の実施例を示すデジタル複写機に係る説明図。
【符号の説明】
【００３２】
２６  給紙ローラ、３４〜３７  給紙カセット、４０  ＲＦＩＤタグ読み取り部、５０ａ  スキャナ部、５０ｂ  プリンタ部、６８  給紙ローラ、８０  ＲＦＩＤタグ読み取り部、１０５  ＣＰＵ、１０６  ＲＯＭ、１０７  ＲＡＭ、１１１  操作パネル、２４０  表示パネル
【図１】
2005316189.tif 000003
【図２】
2005316189.tif 000004
【図３】
2005316189.tif 000005
【図４】
2005316189.tif 000006
【図５】
2005316189.tif 000007
【図６】
2005316189.tif 000008
【図７】
2005316189.tif 000009
【図８】
2005316189.tif 000010
【図９】
2005316189.tif 000011
【図１０】
2005316189.tif 000012
【図１１】
2005316189.tif 000013